【手続補正書】
【提出日】平成18年6月23日(2006.6.23)
【手続補正１】
【補正対象書類名】明細書
【補正対象項目名】発明の名称
【補正方法】変更
【補正の内容】
【発明の名称】携帯型情報処理装置
【手続補正２】
【補正対象書類名】明細書
【補正対象項目名】特許請求の範囲
【補正方法】変更
【補正の内容】
【特許請求の範囲】
【請求項１】  回転操作可能な操作子と、
複数の動作モードで時計としての各種情報を表示する表示部と、
前記操作子の回転量、回転方向あるいは回転速度のうち少なくともいずれか一つの量を検出する回転情報生成ユニットと、
前記回転情報生成ユニットの出力データに基づいて、前記動作モードを切り換えるとともに、単一動作モード内での表示態様を変化させる表示制御部と、
を備えたことを特徴とする携帯型情報処理装置。
【請求項２】  請求項１記載の携帯型情報処理装置において、
前記表示制御部は、前記表示態様の変化として、フォントのサイズ、フォントの種類、フォントの色あるいはフォントの形状のうち少なくともいずれか一つを変化させることを特徴とする携帯型情報処理装置。
【請求項３】  請求項１記載の携帯型情報処理装置において、
前記表示制御部は、前記表示態様の変化として、地図の表示状態から、前記地図に属するいずれかの地域の現地時刻表示状態に変化させることを特徴とする携帯型情報処理装置。
【請求項４】  請求項１記載の携帯型情報処理装置において、
前記表示制御部は、前記表示態様の変化として、前記表示部にアナログ時計を表示するに際し、アナログ時計の指針の長さを変化させることを特徴とする携帯型情報処理装置。
【請求項５】  請求項１記載の携帯型情報処理装置において、
前記表示制御部は、前記表示態様の変化として、前記表示部にアナログ時計を表示するに際し、アナログ時計のアワーマーカの種類あるいはアワーマーカの大きさを変化させることを特徴とする携帯型情報処理装置。
【請求項６】  請求項１記載の携帯型情報処理装置において、
前記表示部の表示面に垂直な方向に沿ってそれぞれ所定距離離間して配置した複数の表示画面を仮定し、前記表示制御部は、前記表示態様の変化として、前記表示面に垂直な方向に沿って徐々に焦点位置をずらした場合に観察される前記複数の表示画面全体の画像を表示することを特徴とする携帯型情報処理装置。
【請求項７】  請求項１記載の携帯型情報処理装置において、
前記表示制御部は、前記表示態様の変化として、前記回転情報生成ユニットの出力データに基づいて、画像を生成して前記表示部に表示することを特徴とする携帯型情報処理装置。
【請求項８】  請求項１ないし請求項７のいずれかに記載の携帯型情報処理装置おいて、
前記操作子は、回転ベゼルあるいはリュウズとして構成されていることを特徴とする携帯型情報処理装置。
【手続補正３】
【補正対象書類名】明細書
【補正対象項目名】０００５
【補正方法】変更
【補正の内容】
【０００５】
上記課題を解決するため、携帯型情報処理装置は、回転操作可能な操作子と、複数の動作モードで時計としての各種情報を表示する表示部と、前記操作子の回転量、回転方向あるいは回転速度のうち少なくともいずれか一つの量を検出する回転情報生成ユニットと、
前記回転情報生成ユニットの出力データに基づいて、前記動作モードを切り換えるとともに、単一動作モード内での表示態様を変化させる表示制御部と、を備えたことを特徴としている。
上記構成によれば、回転情報生成ユニットは、操作子の回転量、回転方向あるいは回転速度のうち少なくともいずれか一つの量を検出し、表示制御部は、回転情報生成ユニットの出力データに基づいて、動作モードを切り換えるとともに、単一動作モード内での前記表示装置における表示態様を変化させる。
この場合において、表示制御部は、前記表示態様の変化として、フォントのサイズ、フォントの種類、フォントの色あるいはフォントの形状のうち少なくともいずれか一つを変化させるようにしてもよい。
【手続補正４】
【補正対象書類名】明細書
【補正対象項目名】０００６
【補正方法】変更
【補正の内容】
【０００６】
また、表示制御部は、前記表示態様の変化として、地図の表示状態から、前記地図に属するいずれかの地域の現地時刻表示状態に変化させるようにしてもよい。
さらに、表示制御部は、前記表示態様の変化として、前記表示部にアナログ時計を表示するに際し、アナログ時計の指針の長さを変化させるようにしてもよい。
さらにまた、表示制御部は、前記表示態様の変化として、前記表示部にアナログ時計を表示するに際し、アナログ時計のアワーマーカの種類あるいはアワーマーカの大きさを変化させるようにしてもよい。
また、前記表示部の表示面に垂直な方向に沿ってそれぞれ所定距離離間して配置した複数の表示画面を仮定し、前記表示制御部は、前記表示態様の変化として、前記表示面に垂直な方向に沿って徐々に焦点位置をずらした場合に観察される前記複数の表示画面全体の画像を表示するようにしてもよい。
さらに、表示制御部は、前記表示態様の変化として、前記回転情報生成ユニットの出力データに基づいて、画像を生成して前記表示部に表示するようにしてもよい。
さらにまた、操作子は、回転ベゼルあるいはリュウズとして構成されているようにしてもよい。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】００４４
【補正方法】変更
【補正の内容】
【００４４】
［５．４］第４変形例
以上の説明においては、表示態様を徐々に移行させる場合について述べたが、表示情報を操作子の回転方向に応じて上下方向あるいは左右方向にスクロールさせたりするなどの操作を行わせるように構成することも可能である。
［５．５］第５変形例
以上の説明においては、操作子の特定の回転方向（例えば、時計回り方向）を特定の処理（例えば、ズームイン処理）に対応づけていたが、第１の回転方向または第１の回転方向とは逆方向の第２の回転方向とその処理内容の対応付けについては任意に設定することが可能である。
［５．６］第６変形例
以上の説明においては、操作子の操作状態に応じて表示態様の変更を行う場合について説明したが、操作子の操作状態に応じてアラーム音の音量を調整したり、バックライトを内蔵しているような場合には、バックライトの明るさを調整したりするように構成することも可能である。
［５．７］第７変形例
以上の説明においては、携帯型情報処理装置として、時計の場合について説明したが、コンピュータ（ノート型、ＰＤＡ型などを含む）、電話、ラジオ、オーディオ装置などであってもよい。
また、時計として構成する場合も、腕時計型、ネックレス、指輪などのアクセサリ型のほか、懐中時計など様々な態様が考えられる。
［６］本発明の態様
本発明の態様としては、上述した態様の他、以下のものが考えられる。
第１の態様の表示装置は、操作子と、各種情報を表示する表示部と、前記操作子の操作状態をアナログ的に表した操作状態データに基づいて前記表示部における表示態様をアナログ的に変化させる表示制御部と、を備えたことを特徴としている。
上記構成によれば、表示制御部は、操作子の操作状態をアナログ的に表した操作状態データに基づいて表示部における表示態様をアナログ的に変化させる。
この場合において、表示制御部は、単一動作モード内で前記表示態様をアナログ的に変化させるようにしてもよい。
また、前記操作子は、回転操作が可能であり、前記表示制御部は、前記操作子の回転量、回転方向あるいは回転速度のうち少なくともいずれか一つに対応する前記操作状態データに基づいて前記表示態様を変化させるようにしてもよい。
さらに、前記表示制御部は、前記表示態様の変化として、フォントのサイズ、フォントの種類、あるいはフォントの色のうち少なくともいずれか一つを変化させるようにしてもよい。
さらにまた、前記表示制御部は、前記表示態様の変化として、地図の表示状態から、前記地図に属するいずれかの地域の現地時刻表示状態に変化させるようにしてもよい。
また、前記表示制御部は、前記表示態様の変化として、前記表示部にアナログ時計を表示するに際し、アナログ時計の指針の長さを変化させるようにしてもよい。
さらに、前記表示制御部は、前記表示態様の変化として、前記表示部にアナログ時計を表示するに際し、アナログ時計のアワーマーカの種類あるいはアワーマーカの大きさを変化させるようにしてもよい。
さらにまた、前記表示部の表示面に垂直な方向に沿ってそれぞれ所定距離離間して配置した複数の表示画面を仮定し、前記表示制御部は、前記表示態様の変化として、前記表示面に垂直な方向に沿って徐々に焦点位置をずらした場合に観察される前記複数の表示画面全体の画像を表示するようにしてもよい。
また、前記表示制御部は、前記表示態様の変化として、前記操作状態データに対応させて画像を生成して前記表示部に表示するようにしてもよい。
さらに、前記操作子は、回転ベゼルあるいはリュウズとして構成されているようにしてもよい。
また、第２の態様は、時計に上記いずれかの表示装置を備えるようにしたことを特徴としている。
また、第３の態様は、操作子と、各種情報を表示する表示部と、を有する表示装置の制御方法は、前記操作子の操作状態をアナログ的に測定する操作状態測定過程と、アナログ的に表された前記操作状態に基づいて前記表示部における表示態様をアナログ的に変化させる表示制御過程と、を備えたことを特徴としている。
この場合において、前記表示制御過程は、単一動作モード内で前記表示態様をアナログ的に変化させるようにしてもよい。
また、前記操作子は、回転操作が可能であり、前記表示制御過程は、前記操作子の回転量、回転方向あるいは回転速度のうち少なくともいずれか一つに対応する前記操作状態に基づいて前記表示態様を変化させるようにしてもよい。
さらに前記表示制御過程は、前記表示態様の変化として、フォントのサイズ、フォントの種類、フォントの色あるいはフォントの形状のうち少なくともいずれか一つを変化させるようにしてもよい。
さらにまた、前記表示制御過程は、前記表示態様の変化として、地図の表示状態から、前記地図に属するいずれかの地域の現地時刻表示状態に変化させるようにしてもよい。
また、前記表示制御過程は、前記表示態様の変化として、前記表示部にアナログ時計を表示するに際し、アナログ時計の指針の長さを変化させるようにしてもよい。
さらに、前記表示制御過程は、前記表示態様の変化として、前記表示部にアナログ時計を表示するに際し、アナログ時計のアワーマーカの種類あるいはアワーマーカの大きさを変化させるようにしてもよい。
さらにまた、前記表示部の表示面に垂直な方向に沿ってそれぞれ所定距離離間して配置した複数の表示画面を仮定し、前記表示制御過程は、前記表示態様の変化として、前記表示面に垂直な方向に沿って徐々に焦点位置をずらした場合に観察される前記複数の表示画面全体の画像を表示するようにしてもよい。
また、前記表示制御過程は、前記表示態様の変化として、前記操作状態に対応させて画像を生成して前記表示部に表示するようにしてもよい。
また、第４の態様は、操作子と、各種情報を表示する表示部と、を有する表示装置をコンピュータにより制御するための制御プログラムにおいて、前記操作子の操作状態をアナログ的に測定させ、アナログ的に表された前記操作状態に基づいて前記表示部における表示態様をアナログ的に変化させる、ことを特徴としている。
また、第５の態様は、この制御プログラムをコンピュータ読取可能な記録媒体に記録する。